(57)【要約】【課題】  ブレーカ、端子台等の電気機器の端子部と接続導体とを的確に絶縁被覆することのできる端子カバーの取付構造を提供する。【解決手段】  垂直に配置した主幹バー１に嵌脱自在としたプラグ３１を設けた接続導体３２を裏側に配置した絶縁基台３０の表側に該接続導体３２の先端に立上らせた接続片部３３に設けた接続端子部３３を臨ませたプラグインアダプタ３の前記絶縁基台３０上に搭載した電気機器４の端子部４１と前記接続片部３３を絶縁被覆する端子カバー５を絶縁基台３０に設けた取付部３６に保持させて取り付ける。【選択図】  図１
2005158419.tif 000002
【特許請求の範囲】
【請求項１】
垂直に配置した主幹バーに嵌脱自在としたプラグを設けた接続導体を裏側に配置した絶縁基台の表側に該接続導体の先端に立上らせた接続片部に設けた接続端子部を臨ませたプラグインアダプタの前記絶縁基台上に搭載した電気機器の端子部と前記接続片部を絶縁被覆する端子カバーを絶縁基台に設けた取付部に保持させて取り付けたことを特徴とする端子カバーの取付構造。
【請求項２】
端子カバーの天井面を電気機器の端子部隔壁の上端間のみ形成した請求項１に記載の端子カバーの取付構造。
【請求項３】
電気機器の端子部に配置した絶縁バリアに対応する隔壁部を端子カバーに設けた請求項１又は２に記載の端子カバーの取付構造。
【発明の詳細な説明】
【技術分野】
【０００１】
本発明は、裏面に主幹バーへの接続部を備えたアダプタを介して分電盤、配電盤等に組み込んだブレーカ、端子台等の電気機器の端子部と接続導体とを絶縁被覆する端子カバーの取付構造に関するものである。
【背景技術】
【０００２】
アダプタに配置した接続導体の先端に立上り部を介して設けた端子部を電気機器の電源端子部に接続するものとしては特許文献１に記載したものがある。ところが、このようなものは接続導体の立上り部は通常絶縁被覆されていなものである。
【０００３】
一方、ブレーカ、端子台等の電気機器に付属する端子カバーは電気機器への電線を通過させるための孔部を有しており、前記したような接続導体を覆う端子カバーとしては不適当なものであった。
従って、接続導体を覆う専用の端子カバーが必要となるが、各メーカごとに端子カバーの電気機器への取付箇所、取付方法が異なるため、複数種類の端子カバーが必要となる。
【特許文献１】特開平５−３０８７０５公開特許公報（図３）
【発明の開示】
【発明が解決しようとする課題】
【０００４】
本発明は前記のような従来の問題点を解決して、ブレーカ、端子台等の電気機器の端子部と接続導体とを的確に絶縁被覆することのできる端子カバーの取付構造を提供することである。
【課題を解決するための手段】
【０００５】
本発明の端子カバーの取付構造は、垂直に配置した主幹バーに嵌脱自在としたプラグを設けた接続導体を裏側に配置した絶縁基台の表側に該接続導体の先端に立上らせた接続片部に設けた接続端子部を臨ませたプラグインアダプタの前記絶縁基台上に搭載した電気機器の端子部と該接続片部を絶縁被覆する端子カバーを絶縁基台に設けた取付部に保持させて取り付けたことを特徴とするものである。また、この発明において端子カバーの天井面を電気機器の端子部隔壁の上端間のみ形成してもよく、さらにこれらの発明において電気機器の端子部に配置した絶縁バリアに対応する隔壁部を端子カバーに設けることが好ましい。
【発明の効果】
【０００６】
本発明の端子カバーの取付構造は、端子カバーが接続導体の先端に立上らせた接続片部を的確に絶縁被覆するものであり、また、端子カバーを絶縁基台に設けた取付部に保持させて取り付けたものであるから、ブレーカ、端子台等の電気機器をメーカの異なるものと交換しても、端子カバーの交換は不要なものである。
【０００７】
また、端子カバーの天井面を電気機器の端子部隔壁の上端間のみに電気機器の端子部より小さく形成したものでは、プラグインアダプタに主幹バーに接続するときに端子カバーに力が加わりにくいうえ、端子部隔壁の高さが異なる電気機器にも適切に対応でき電気機器の極間の絶縁が向上するものである。さらに、電気機器の端子部に配置した絶縁バリアに対応する隔壁部を端子カバーに設けたものにあっては、隣り合う接続導体の接続片部同士の絶縁距離を確保でき短絡事故のおきないものである。
【発明を実施するための最良の形態】
【０００８】
次に、本発明の好ましい実施の形態を図面に基づき説明する。
図１から図８は第１の実施形態を示すものであり、１は分電盤、配電盤等の盤面１１にバーホルダー１２により垂直に配置した３本の主幹バー、２は主幹バー１の両側に設置した断面コ字型のアダプタ固定用レールである。３は前記主幹バー１に嵌脱自在としたプラグ３１を設けた３本の接続導体３２を盤面１１と平行に絶縁基台３０の裏側に配置するとともに、該接続導体３２の先端に立上らせた接続片部３３を絶縁基台３０に設けた通過孔３４を介して該接続片部３３の先端に設けた接続端子部３５を絶縁基台３０の表側に臨ませたプラグインアダプタである。このプラグインアダプタ３はプラグ３１を主幹バー１に接続したうえ両側に張設した取付片部３６を前記アダプタ固定用レール２の上板部２１に該取付片部３６に設けた取付孔３６ａにねじを挿通して固定して取り付けるものである。
【０００９】
４は前記絶縁基台３０の表側に該絶縁基台３０に設けたボスに直接又は鉄ベースを介して取り付けて搭載した電気機器であり、この実施形態のものはブレーカが搭載されている。このブレーカ４の前後端には電源側及び負荷側の端子部４１が夫々端子部隔壁４２により絶縁隔離されて３個設けられている。そして、電源側の各端子部４１は前記接続端子部３５を接続するものとしている。なお、図示の実施形態では端子部４１をねじ端子に形成してあるため接続端子部３５がこれに対応するＵ字状としているが、端子部４１をプラグイン端子に形成した場合には接続端子部３５を平板状に形成するものである。
【００１０】
５は端子部４１と該接続片部３３を絶縁被覆する端子カバーであり、該端子カバー５は絶縁基台３０に設けた取付部３７に保持させて取り付けられている。すなわち図２に示すものは端子カバー５の下端外側の一方に張設した係止片５１を絶縁基台３０に設けた取付部３７であるねじ孔にねじ止めし、他方に設けた嵌合突起５２を絶縁基台３０に設けた取付部３７である嵌合凹部に嵌合させて取り付けている。
【００１１】
また、電気機器４すなわちブレーカ４の端子部隔壁４２の外側端面に形成した縦溝部４２ａに図５に示すよう絶縁バリア６を設置した場合には、端子カバー５にこの絶縁バリア６に対応した隔壁部５３を設けることが好ましい。この隔壁部５３は図４、図５に示すように絶縁バリア６が入り込めるように縦溝構造として隣り合う接続導体３２の接続片部３３同士の空間距離をジグザグ状として絶縁距離を確保してブレーカ４の遮断時に発生するアークガスによる極間短絡がおきないものとしている。なお、絶縁バリア６は外側方向の長さサイズを隔壁部５３の縦溝５３ａ内に納まるものと調整することは勿論である。また、隔壁部５３は図４に示すように端子カバー５の天井面５４に達するものとすることが絶縁状より好ましい。
【００１２】
さらに、端子カバー５の天井面５４には端子カバー５を外すことなく各端子部４１の検電を行うことができる検電孔５４ａが設けられている。また、端子カバー５は図１、図２、図４に示すように天井面５４の角部を弧状とすることにより、プラグインアダプタ３にブレーカ４を搭載したうえ端子カバー５をセットして接続導体３２のプラグ３１を主幹バー１に連結して該プラグインアダプタ３をアダプタ固定レール２に取り付ける際に端子カバー５の天井面５４に力が加わってもこの弧状により端子カバー５の離脱方向の力が削がれて端子カバー５が外れることのないものである。また、端子カバー５の天井面５４を図１、図２、図４に示すように端子部隔壁４２の上端間に端子部４１より若干小さく形成したことにより、前記したプラグインアダプタ３をアダプタ固定レール２への取付時に端子カバー５の天井面５４に力が加わりにくいものであるうえ、各メーカの端子部隔壁４２の高さの差異にかかわらず適切に取り付けることが可能なものである。
【００１３】
図６及び図８に示すものは、プラグインアダプタ３とブレーカ４の間に高さ調節用の枠型鉄ベース７を介在させて背の高い大容量ブレーカと表面パネルカットをそろえてハンドル位置を同一とする際に、この枠型鉄ベース７の高さに相当する端子カバー延長ブロック８を端子カバー５の下端に介在させることにより一種類の端子カバーで対応できるものとしている。
【００１４】
図９、図１０に示すものは本発明の第２の実施形態であり、前記第１の実施形態と同様の部分は説明を省略するが、この実施形態の特徴は端子カバー５の天井面５４が電気機器の端子部４１及び端子部隔壁４２を覆うものであり、電気機器４の絶縁バリア６に対応した隔壁部５３及び縦溝５４ａが天井面にも形成されているところにある。このように形成することにより電気機器の極間の絶縁が適切に行うことができるものである。
【００１５】
また、端子カバー５はブレーカ４の遮断時にから発生するアークガスを逃がすための排気孔５５を設けているが、図１０に示すようにこの排気孔５５を端子カバー５の外側壁に凹ませて設けることにより、この凹部が端子カバー５着脱時の指の引掛け部として利用できるものである。
【００１６】
また、図１０に示すものは端子カバー５の下端外側両側に張設した係止片５１、５１を絶縁基台３０に設けた取付部３７であるねじ孔にねじ止めしているが、端子カバー５の下端外側中央の一箇所に係止片を張設して絶縁基台３０に設けた取付部にねじ止めしてもよい。なお、絶縁基台３０にねじ止めして取り付けるものにおいては、絶縁基台３０に強固なねじ孔を形成するためのナットを挿入するための挿入孔を設けてもよい。
【図面の簡単な説明】
【００１７】
【図１】本発明の第１の実施形態を示す側面図である。
【図２】本発明の第１の実施形態を示す斜視図である。
【図３】本発明の第１の実施形態のプラグインアダプタを下方側から示す斜視図である。
【図４】本発明の第１の実施形態の端子カバーの1例を示す斜視図である。
【図５】本発明の第１の実施形態の一部切欠平面図である。
【図６】本発明の枠型鉄ベースを介在させた第１の実施形態を示す斜視図である。
【図７】プラグインアダプタと枠型鉄ベースとの関係示す斜視図である。
【図８】端子カバー延長ブロックを示す斜視図である。
【図９】本発明の第２の実施形態の端子カバーを示す斜視図である。
【図１０】本発明の第２の実施形態を示す斜視図である。
【図１１】本発明を使用した分電盤を示す正面図である。
【符号の説明】
【００１８】
１  主幹バー
３  プラグインアダプタ
30  絶縁基台
31  プラグ
32  接続導体
33  接続片部
35  接続端子部
４  電気機器
41  端子部
５  端子カバー
53  隔壁部
６  絶縁バリア
【図１】
2005158419.tif 000003
【図２】
2005158419.tif 000004
【図３】
2005158419.tif 000005
【図４】
2005158419.tif 000006
【図５】
2005158419.tif 000007
【図６】
2005158419.tif 000008
【図７】
2005158419.tif 000009
【図８】
2005158419.tif 000010
【図９】
2005158419.tif 000011
【図１０】
2005158419.tif 000012
【図１１】
2005158419.tif 000013